(57)【特許請求の範囲】
【請求項１】
上部に開口部が形成され、内部に除湿剤が収納される容器本体と、該容器本体に取付けられ、吸入口と排気口を有する蓋体と、該蓋体にモーターと、該モーターの回転により回転駆動されるファンとが設けられ、前記容器本体内部に前記ファンの回転により強制的に空気を通過させる除湿器において、前記モーターはモーターケースに収納されており、前記モーターの回転軸にファンの回転中心を挿通した状態で該ファンを受けるファン受け部材が設けられ、前記ファンは円形の底部を有し且つ前記モーターケースに嵌合される直径を有する筒部と該筒部の外周に設けられた複数の羽部材とを備え、前記ファンの底部がファン受け部材に当接し摩擦力によりモーターの回転駆動力がファンに伝達されるようになされ、前記容器本体が傾斜した場合で且つ前記ファンの底部とファン受け部材の摩擦力よりファンの筒部の内壁とモーターケース外壁との摩擦力が大きくなった場合にファンの回転が停止することを特徴とする除湿器。
【請求項２】
前記蓋体に設けられたファンの回転が外部から視認可能なように蓋体の少なくとも一部が透明または半透明な合成樹脂成型品より形成されていることを特徴とする請求項１に記載の除湿器。
【請求項３】
前記下部蓋体の一方の側壁に形成された吸入口と連通する下部蓋体の内部に消臭剤が取付けられていることを特徴とする請求項１または請求項２に記載の除湿器。
【請求項４】
前記消臭剤がハニカム状の担体に触媒活性炭を担持させたものであることを特徴とする請求項３に記載の除湿器。
【発明の詳細な説明】
【０００１】
【発明の属する技術分野】
本発明は除湿器に関し、更に詳細に説明すると、上部に開口部が形成され、内部に除湿剤が収納される容器本体と、該容器本体に取付けられ、吸入口と排気口を有する蓋体と、該蓋体にモーターと、該モーターの回転により回転駆動されるファンとが設けられ、前記容器本体内部に前記ファンの回転により強制的に空気を通過させる除湿器に関する。
【０００２】
【従来の技術】
従来より、部屋，押し入れ等の除湿，芳香，防かびのために種々の除湿剤，芳香剤，消臭剤，防かび剤等が用いられている。
また、従来より塩化カルシウム，塩化マグネシウム等の吸湿薬剤を容器本体内に収納し、容器本体の開口部を透湿非透水シートで閉塞し、容器本体内に流れ込む湿気を含む空気より湿気を除湿する除湿器が提案されている。従来の除湿器の容器本体は容器の安定度の観点より、容器本体の下部を大きく形成し安定感のある形状にしているのが通常である。
【０００３】
更に、実開平２−６１４２２号公報、実開平２−１００６３１号公報、実開平３−１０２２２５号公報、特開平３−１５４６１３号公報等に示されている如く、容器本体内にモーターの回転により回転駆動されるファンを用いて強制的に空気を吸入，排気させる電気、電池式の除湿器も提案されている。
【０００４】
モーターの回転によりファンを回転させ、容器本体内に強制的に空気を吸入，排気させる除湿器、例えば、特開平３−１５４６１３号公報に示される除湿器には、ファンとモーターとの接点に夫々設けた突起の係合により回転駆動力を伝達し、また容器本体が傾斜した場合に外部のリブ等の突起にファンを引っ掛け、ファンを強制的に停止させる機構が示されている。
【０００５】
【発明が解決しようとする課題】
従来の特開平３−１５４６１３号公報に示される除湿器では、容器本体が傾斜した場合に、モーター外部のリブ等の突起にファンの羽根の内側を引っ掛けているが、ファンの回転はすぐには止まらず、ファンの羽根とリブ等の突起が当たり大きな異音を発生させる欠点を有し、ファンの羽根を損傷させる虞れを有し、更に、ファンが停止した場合にもファンとモーターとが係合しているためモーターも強制的に停止させることとなり、モーターに過負荷が加えられた状態となり、モーター性能を低下させる虞れを有していた。またファンが停止しているのか作動しているのかを外部から視認することができない欠点を有していた。
【０００６】
本発明の目的は、構成が簡易でコンパクト化することができ、除湿効率を向上させることができ、また容器本体の底面側にカビが生える虞れがなく、容器本体が傾斜した場合に、ファンにより大きな異音を発生させる虞れがなく、ファンの停止時にモーターを強制的に停止させることがなく、モーター性能を低下させる虞れがなく、またファンが停止しているのか作動しているのかを外部から視認することができ、更に除湿と消臭とを簡易な構成で得ることができ、除湿液がこぼれる虞れがなく、除湿液の廃棄が容易で取扱いが簡便に行え、外観を向上させることができる除湿器を提供するものである。
【０００７】
【課題を解決するための手段】
本発明は上述せる課題に鑑みてなされたもので、本発明の請求項１に記載の除湿器は、上部に開口部が形成され、内部に除湿剤が収納される容器本体と、該容器本体に取付けられ、吸入口と排気口を有する蓋体と、該蓋体にモーターと、該モーターの回転により回転駆動されるファンとが設けられ、前記容器本体内部に前記ファンの回転により強制的に空気を通過させる除湿器において、前記モーターはモーターケースに収納されており、前記モーターの回転軸にファンの回転中心を挿通した状態で該ファンを受けるファン受け部材が設けられ、前記ファンは円形の底部を有し且つ前記モーターケースに嵌合される直径を有する筒部と該筒部の外周に設けられた複数の羽部材とを備え、前記ファンの底部がファン受け部材に当接し摩擦力によりモーターの回転駆動力がファンに伝達されるようになされ、前記容器本体が傾斜した場合で且つ前記ファンの底部とファン受け部材の摩擦力よりファンの筒部の内壁とモーターケース外壁との摩擦力が大きくなった場合にファンの回転が停止することを特徴とする。
【０００８】
本発明の請求項２に記載の除湿器は、請求項１の除湿器において、前記蓋体に設けられたファンの回転が外部から視認可能なように蓋体の少なくとも一部が透明または半透明な合成樹脂成型品より形成されていることを特徴とする。
【０００９】
本発明の請求項３に記載の除湿器は、請求項１または請求項２の除湿器において、前記下部蓋体の一方の側壁に形成された吸入口と連通する下部蓋体の内部に消臭剤が取付けられていることを特徴とする。
【００１０】
本発明の請求項４に記載の除湿器は、請求項３の除湿器において、前記消臭剤がハニカム状の担体に触媒活性炭を担持させたものであることを特徴とする。
【００１１】
本発明の請求項１に記載の除湿器によれば、前記モーターはモーターケースに収納されており、前記モーターの回転軸にファンの回転中心を挿通した状態で該ファンを受けるファン受け部材が設けられ、前記ファンは円形の底部を有し且つ前記モーターケースに嵌合される直径を有する筒部と該筒部の外周に設けられた複数の羽部材とを備え、前記ファンの底部がファン受け部材に当接し摩擦力によりモーターの回転駆動力がファンに伝達されるようになされ、前記容器本体が傾斜した場合で且つ前記ファンの底部とファン受け部材の摩擦力よりファンの筒部の内壁とモーターケース外壁との摩擦力が大きくなった場合にファンの回転が停止するので、容器本体が傾斜した場合に、大きな異音を発生させる虞れがなく、ファンの停止時にモーターを強制的に停止させることがなく、モーター性能を低下させる虞れがなく、直立状態でファンの回転により強力に除湿ができる。
【００１２】
本発明の請求項２に記載の除湿器によれば、前記蓋体に設けられたファンの回転が外部から視認可能なように蓋体の少なくとも一部が透明または半透明な合成樹脂成型品より形成されているので、ファンが停止しているのか作動しているのかを外部から視認することができ、作動の終了が確認でき、外観を向上させることができ、取扱いを簡易迅速に行える。
【００１３】
本発明の請求項３に記載の除湿器によれば、前記下部蓋体の一方の側壁に形成された吸入口と連通する下部蓋体の内部に消臭剤が取付けられているので、除湿と共に消臭作用を行うことができ、容器本体を転倒させても除湿液がこぼれる虞れがなく、蓋体を外して容器本体より除湿液の廃棄を容易に行うことができる。
【００１４】
本発明の請求項４に記載の除湿器によれば、前記消臭剤がハニカム状の担体に触媒活性炭を担持させたものであるので、空気の圧力損失を小さくしつつ、空気との接触面積を増大させることができ、消臭効率を増大させることができる。
【００１５】
【発明の実施の形態】
以下本発明に係る除湿器を図１乃至図７を参照して詳述する。
図１に示す如く、除湿器１１は合成樹脂製の容器本体１２を有し、この容器本体１２の上部の略中央部に薬効剤投入口及び除湿液廃棄口としての開口部１３が形成され、内部に除湿剤１５が収納される。
【００１６】
前記容器本体１２の上部に吸入口３７と排気口３９を有する蓋体２１が取付けられている。容器本体１２の上端には上方に膨出する突起部２７が、図２及び図３に示す如く、前記開口部１３を中心とする一方の対角線側に形成されている。
【００１７】
図２及び図４に示す如く、前記容器本体１２の開口部１３は容器口１３ａに形成され、この容器口１３ａの外周縁には雄ねじ１３ｂが形成され、この容器口１３ａの雄ねじ１３ｂに、図１に示す如く、キャップ１８の雌ねじ１８ｂが螺合されて取付けられ、このキャップ１８の中央に上下開口された筒体１９が下方に延びて形成されている。尚、キャップ１８を容器本体１２と一体に形成してもよい。
【００１８】
前記蓋体２１は前記容器本体１２の上端に着脱自在に取付けられる下部蓋体２３と、この下部蓋体２３の上端に着脱自在に取付けられる透明または半透明な合成樹脂より成形された上部蓋体２５とから形成されている。前記蓋体２１にモーター３１と、このモーター３１の回転により回転駆動されるファン３３とが設けられ、前記容器本体１２内部に前記ファン３３の回転により強制的に空気を吸入，排気させることができる。
【００１９】
前記上部蓋体２５が透明または半透明な合成樹脂より成形されているので、ファン３３の回転または停止状態を外部から視認することができ、ファン３３に適宜の模様，色彩等を付すことにより、ファン３３の回転または停止状態でファン３３の色彩が異なるようにすることができる。
【００２０】
上部蓋体２５にはモーターケース２６に収納されたモーター３１と、このモーター３１の回転により回転駆動されるファン３３とが設けられ、前記モーター３１の回転軸３１ａにファン３３の回転中心を挿通した状態でこのファン３３を受けるファン受け部材３４が設けられ、前記ファン３３は円形の底部を有し且つ前記モーターケース２６に嵌合される直径を有する筒部３３ａと、この筒部３３ａの外周に設けられた複数の羽部材３３ｂとを備え、前記ファン３３の筒部３３ａの底部がファン受け部材３４に当接する。
【００２１】
前記ファン３３の筒部３３ａの底部がファン受け部材３４に当接し、摩擦力によりモーター３１の回転駆動力がファン３３に伝達されるようになされ、前記容器本体１２が傾斜した場合で且つ前記ファン３３の底部とファン受け部材３４の摩擦力よりファン３３の筒部３３ａの内壁とモーターケース２６の外壁との摩擦力が大きくなった場合にファン３３の回転が停止する。
【００２２】
図５乃至図７に示す如く、前記下部蓋体２３には容器本体１２の開口部１３に取付けられるキャップ１８の筒体１９の内壁と適宜の間隔を置いて容器本体１２内に挿入される排気筒体３５が形成されている。この排気筒体３５の下端は前記キャップ１８の筒体１９より下方に延びて形成されている。また前記容器本体１２の開口部１３と連通する吸入口３７が形成されている。
【００２３】
前記上部蓋体２５には前記下部蓋体２３の排気筒体３５を介して容器本体１２の除湿された空気を排出する排気口３９が形成されている。また上部蓋体２５の排気口３９側にはモーター３１と、このモーター３１の回転により回転駆動されるファン３３とが設けられ、このファン３３の反対側に電池４１の収納部４３が形成されている。前記電池４１とモーター３１は電気的に接続されている。
【００２４】
前記容器本体１２と下部蓋体２３の係止片４５が形成され、この係止片４５が前記キャップ１８の外周縁１８ａに係止されるようになされ、この容器本体１２に対して下部蓋体２３を外す場合には、下部蓋体２３を左右方向の何れかに回転させることにより、前記係止片４５が容器本体１２の上方に膨出する突起部２７により下部蓋体２３が外方に押圧され、係止片４５とキャップ１８の外周縁の突起部１８ａとの係止状態が解除される。
【００２５】
また下部蓋体２３の一側には略逆Ｕ字状に形成された係止片４７が形成され、この係止片４７の一端が下方に延設されて操作片４９に形成され、前記係止片４７の突起４７ａが上部蓋体２５に形成されたフック部材５１に係止され、下部蓋体２３と上部蓋体２５とが係止状態となされている。また下部蓋体２３の他側には係止部５２が形成されている。
【００２６】
従って、前記略逆Ｕ字状に形成された係止片４７の操作片４９を内側に押圧し、係止片４７の突起４７ａと上部蓋体２５に形成されたフック部材５１との係止状態を解除し、他側の係止部５２も解除すれば、下部蓋体２３と上部蓋体２５との係止状態を解除することができる。
【００２７】
更に、前記下部蓋体の一方の側壁に形成された吸入口と連通する下部蓋体の内部の取付部５７に消臭剤５５が取付けられている。この消臭剤５５は、本実施の形態ではハニカム状の担体に触媒活性炭を担持させたが、紙，不織布等の通気性素材に消臭剤５５を含浸させたものを用いることもできる。従って、除湿と共に消臭作用を行うことができる。
【００２８】
前記キャップ１８の筒体１９の内壁と適宜の間隔を置いて容器本体１２内に挿入される下部蓋体２３の排気筒体３５の下端は前記キャップ１８の筒体１９より下方に延びて形成されているので、吸入された空気が除湿剤１５と十分に接触することができる。また、前記キャップ１８に筒体１９が形成されているので、容器本体１２を転倒した場合でも、筒体１９の存在により除湿した水分である除湿液が容器本体１２の開口部１３よりこぼれるのを防止することができる。
【００２９】
前記容器本体１２に収納される除湿剤１５は塩化カルシウム等の潮解性の吸湿薬剤からなり、この除湿剤１５に他の薬効剤としての消臭剤１６が混入されている。この消臭剤１６は除湿剤１５と異なる色彩に形成され、外部より視認可能になされ、また比重が軽い球状のセルロースビーズ等の多孔性ビーズに消臭薬効剤を含浸させて形成されている。このセルロースビーズは除湿した水分である除湿液の上に浮くことができる。尚、消臭剤に代えて、または加えて、芳香剤，防虫剤、または防カビ剤等の薬効剤を混合することができる。
【００３０】
ファン３３の回転により、吸入口３７より吸入された空気は、容器本体１２の開口部１３と連通するキャップ１８の筒体１９の内壁と適宜の間隔を置いて容器本体内に挿入される排気筒体３５の外壁との間より除湿剤１５，消臭剤１６が収納された容器本体１２内部に導入される。
【００３１】
容器本体１２内部に導入された空気は、除湿，消臭され、爽やかな空気として排気筒体３５の内壁側より上部蓋体２５側に導出され、上部蓋体２５のファン３３の回転により排気口３９より容器本体１２の外部に放出される。
【００３２】
【発明の効果】
以上が本発明に係る除湿器の実施の形態であるが、本発明の請求項１に記載の除湿器によれば、前記モーターはモーターケースに収納されており、前記モーターの回転軸にファンの回転中心を挿通した状態で該ファンを受けるファン受け部材が設けられ、前記ファンは円形の底部を有し且つ前記モーターケースに嵌合される直径を有する筒部と該筒部の外周に設けられた複数の羽部材とを備え、前記ファンの底部がファン受け部材に当接し摩擦力によりモーターの回転駆動力がファンに伝達されるようになされ、前記容器本体が傾斜した場合で且つ前記ファンの底部とファン受け部材の摩擦力よりファンの筒部の内壁とモーターケース外壁との摩擦力が大きくなった場合にファンの回転が停止するので、容器本体が傾斜した場合に、大きな異音を発生させる虞れがなく、ファンの停止時にモーターを強制的に停止させることがなく、モーター性能を低下させる虞れがなく、直立状態でファンの回転により強力に除湿ができる。
【００３３】
本発明の請求項２に記載の除湿器によれば、蓋体に設けられたファンの回転が外部から視認可能なように蓋体の少なくとも一部が透明または半透明な合成樹脂成型品より形成されているので、ファンが停止しているのか作動しているのかを外部から視認することができ、作動の終了が確認でき、外観を向上させることができ、取扱いを簡易迅速に行える。
【００３４】
本発明の請求項３に記載の除湿器によれば、下部蓋体の一方の側壁に形成された吸入口と連通する下部蓋体の内部に消臭剤が取付けられているので、除湿と共に消臭作用を行うことができ、容器本体を転倒させても除湿液がこぼれる虞れがなく、蓋体を外して容器本体より除湿液の廃棄を容易に行うことができる。
【００３５】
本発明の請求項４に記載の除湿器によれば、消臭剤がハニカム状の担体に触媒活性炭を担持させたものであるので、空気の圧力損失を小さくしつつ、空気との接触面積を増大させることができ、消臭効率を増大させることができる。
【図面の簡単な説明】
【図１】  本発明に係わる除湿器の断面図。
【図２】  本発明に係わる除湿器の容器本体の正面図。
【図３】  本発明に係わる除湿器の容器本体の平面図。
【図４】  本発明に係わる除湿器の容器本体の側面図。
【図５】  本発明に係わる除湿器の下部蓋体の一部断面正面図。
【図６】  本発明に係わる除湿器の下部蓋体の平面図。
【図７】  本発明に係わる除湿器の下部蓋体の断面図。
【符号の説明】
１１      除湿器
１２      容器本体
１３      開口部
１３ａ    容器口
１３ｂ    雄ねじ
１５      除湿剤
１８      キャップ
１８ａ    外周縁
１８ｂ    雌ねじ
１９      筒体
２１      蓋体
２３      下部蓋体
２５      上部蓋体
２６      モーターケース
２７      突起部
３１      モーター
３３      ファン
３３ａ    筒部
３３ｂ    羽部材
３４      ファン受け部材
３５      排気筒体
３７      吸入口
３９      排気口
４１      電池
４５      係止片
４７      係止片
４９      操作片
５１      フック部材
５５      消臭剤
【図１】
0004084877.tif 000002
【図２】
0004084877.tif 000003
【図３】
0004084877.tif 000004
【図４】
0004084877.tif 000005
【図５】
0004084877.tif 000006
【図６】
0004084877.tif 000007
【図７】
0004084877.tif 000008